(57)【要約】【課題】ＡＦ補助用照明機能部の組み付け作業における作業性を著しく向上して、生産工程全体としての工数を大幅に削減することができ、ひいては製品コストも確実に低減することができるストロボ装置を提供する。【解決手段】補助光パネル１とプリズム２の組み付け、および補助光パネル１の筐体３への組み付けを、従来のようにプリズムをビス固定のような別の固定手段によりわざわざ取り付ける必要がなく、それぞれ該当箇所を手作業などで軽く押しつけるだけで達成する。【選択図】図２
2008180916.tif 000002
【特許請求の範囲】
【請求項１】
被写体を照明する発光部を支持しもしくは一体的に備える本体部からなり、前記本体部の前記被写体に対向する面にオートフォーカス補助用の照明光を射出するオートフォーカス補助用照明機能部を有するストロボ装置であって、
前記オートフォーカス補助用照明機能部は、
両側面に長穴と前記長穴の略中間位置に形成された第一の係止用爪とを有する補助光パネルと、
両側面で前記長穴に係止する第二の係止用爪を有するプリズムと、
前記本体部の前記被写体側を構成するとともに前記被写体側の面に形成された開口を有する筐体と、
前記被写体に対して前記オートフォーカス補助用の照明光を射出するために前記筐体の内部で前記開口部分に取り付けられる補助光用光学系とからなり、
前記長穴に前記第二の係止用爪が係止された状態で前記第一の係止用爪が前記開口に係合されることにより前記本体部に組み付けられるよう構成された
ことを特徴とするストロボ装置。
【請求項２】
前記補助光パネルは、上底側が長辺の正面視略台形形状に形成され、その両斜辺に前記筐体側に向けて延びる壁部が設けられ、各壁部の長手方向に沿って前記長穴と前記第一の係止用爪が形成されており、
前記プリズムは、正面視略矩形状に形成され、その両側面の略中間位置に前記第二の係止用爪が形成されている
ことを特徴とする請求項１記載のストロボ装置。
【請求項３】
前記プリズムは、前記第二の係止用爪で前記補助光パネルの両側面が当接する部分に傾斜面が形成された
ことを特徴とする請求項１または請求項２記載のストロボ装置。
【請求項４】
前記補助光パネルは、前記第一の係止用爪で前記筐体の前記開口が当接する部分に傾斜面が形成された
ことを特徴とする請求項１または請求項２または請求項３記載のストロボ装置。
【発明の詳細な説明】
【技術分野】
【０００１】
本発明は、写真撮影の際に被写体を照明する人工照明光源として有用されているストロボ装置に関し、特に被写体に対してオートフォーカス補助用の照明光を照射できる、いわゆるオートフォーカス補助用照明機能を備えたストロボ装置に関するものである。
【背景技術】
【０００２】
従来から、写真撮影の際に被写体を照明する人工照明光源としてストロボ装置は有用されているが、近年では、被写体に対してオートフォーカス（ＡＦ）補助用の照明光を照射できる、いわゆるＡＦ補助用照明機能を備えたストロボ装置が種々実用化されている。
【０００３】
そのような従来のストロボ装置について説明する。
図４は従来のストロボ装置の概略構成を示す外観斜視図である。図４に示すように、このストロボ装置は、バウンス機能を備えており、発光部１００が連結部２００を介して本体部３００に連結、支持されており、通常、本体部３００のアクセサリーシュー５００を介して、発光部１００の発光窓部が被写体に正対する状態で図示しないカメラ本体に装着され、カメラ本体に対して電気的に接続されるとともに固定され、かかる状態を基本として、発光部１００が連結部２００を中心に本体部３００に対して水平方向（左右方向）および垂直方向（上下方向）に回動自在に支持される。また、発光部１００の一方の側面に設けられている操作部材４００は、撮影者が手動操作にて発光部１００の垂直方向への回動動作の禁止状態（バウンスロック状態）を解除するための部材である。また回動動作は、通常、その回動範囲内の適当な回動位置にて、発光部１００が一時的に係止できるように成されている。
【０００４】
上記の回動動作により、ストロボ装置は、発光部１００の発光窓部から射出される照明光の照射方向を、被写体に対して所望の水平方向および垂直方向に可変および設定できるように構成されている。
【０００５】
上記のようにカメラによる撮影の際の人工照明光源としてストロボ装置が広く利用されているが、特にＴＴＬ（Ｔｈｒｏｕｇｈ  Ｔｈｅ  Ｌｅｎｓ）方式の一眼レフカメラのように、被写体に対して、レンズで捉えた画像を利用して測距を行いＡＦ動作を行うカメラに使用する場合、ストロボ装置による照明光の射出前において、暗闇などにおける低輝度状態や低コントラストな被写体に対しては測距が不可能となり、ＡＦ動作が正確に機能できなくなる。
【０００６】
これを解消するために、ストロボ装置として、上記のような状況をカメラが検知したときには、カメラからの信号を基に、被写体に対してＡＦ補助用の照明光を照射し、被写体からの反射光をカメラが受光して測距を行うことにより、カメラにおいて確実なＡＦ動作を可能にするためのＡＦ補助用照明機能を備えたストロボ装置が利用される。
【０００７】
以上のような従来のストロボ装置におけるＡＦ補助用照明機能部について説明する。
ストロボ装置における例えば本体部３００の被写体側に設けられるＡＦ補助用照明機能部の一般的な構造としては、例えば特許文献１に開示されているものがあり、補助光用光学系と、該光学系を覆う補助光パネルと、それらの間にプリズムとを設置し、このプリズムによって前記光学系からの照射光の照射方向を調整している。
【０００８】
そして、特許文献１では、ＡＦ補助用照明機能部として、光軸上の距離に応じてプリズムによって適切に屈折された補助光を照射し、特に遠距離側の光軸付近に対しては、プリズムを介さずに補助光を直接投影する例が示されている。このようなＡＦ補助用照明機能部においては、一般に、プリズムは前記補助光パネルとは別に本体部３００の筐体に直接ねじ止めなどで固定される。
【特許文献１】特開昭６１−１６６５２８号公報
【発明の開示】
【発明が解決しようとする課題】
【０００９】
しかしながら上記のような従来のストロボ装置では、ＡＦ補助用照明機能部において、プリズムは補助光パネルとは別に本体部３００の筐体に対して直接ねじ止めなどで固定することにより、補助光パネルとプリズムとを別々に取り付けているため、本体部３００へのＡＦ補助用照明機能部の組み付け作業における作業性が低下して、生産工程全体としての工数が増加し、ひいては製品のコストアップに繋がるという問題点を有していた。
【００１０】
本発明は、上記従来の問題点を解決するもので、ＡＦ補助用照明機能部の組み付け作業における作業性を著しく向上して、生産工程全体としての工数を大幅に削減することができ、ひいては製品コストも確実に低減することができるストロボ装置を提供する。
【課題を解決するための手段】
【００１１】
上記の課題を解決するために、本発明の請求項１記載のストロボ装置は、被写体を照明する発光部を支持しもしくは一体的に備える本体部からなり、前記本体部の前記被写体に対向する面にオートフォーカス補助用の照明光を射出するオートフォーカス補助用照明機能部を有するストロボ装置であって、前記オートフォーカス補助用照明機能部は、両側面に長穴と前記長穴の略中間位置に形成された第一の係止用爪とを有する補助光パネルと、両側面で前記長穴に係止する第二の係止用爪を有するプリズムと、前記本体部の前記被写体側を構成するとともに前記被写体側の面に形成された開口を有する筐体と、前記被写体に対して前記オートフォーカス補助用の照明光を射出するために前記筐体の内部で前記開口部分に取り付けられる補助光用光学系とからなり、前記長穴に前記第二の係止用爪が係止された状態で前記第一の係止用爪が前記開口に係合されることにより前記本体部に組み付けられるよう構成されたことを特徴とする。
【００１２】
また、本発明の請求項２記載のストロボ装置は、請求項１記載のストロボ装置であって、前記補助光パネルは、上底側が長辺の正面視略台形形状に形成され、その両斜辺に前記筐体側に向けて延びる壁部が設けられ、各壁部の長手方向に沿って前記長穴と前記第一の係止用爪が形成されており、前記プリズムは、正面視略矩形状に形成され、その両側面の略中間位置に前記第二の係止用爪が形成されていることを特徴とする。
【００１３】
また、本発明の請求項３記載のストロボ装置は、請求項１または請求項２記載のストロボ装置であって、前記プリズムは、前記第二の係止用爪で前記補助光パネルの両側面が当接する部分に傾斜面が形成されたことを特徴とする。
【００１４】
また、本発明の請求項４記載のストロボ装置は、請求項１または請求項２または請求項３記載のストロボ装置であって、前記補助光パネルは、前記第一の係止用爪で前記筐体の前記開口が当接する部分に傾斜面が形成されたことを特徴とする。
【発明の効果】
【００１５】
以上のように本発明によれば、補助光パネルとプリズムの組み付け、および補助光パネルの筐体への組み付けを、従来のようにプリズムをビス固定のような別の固定手段によりわざわざ取り付ける必要がなく、それぞれ該当箇所を手作業などで軽く押しつけるだけで達成することができる。
【００１６】
また、メンテナンスや補修のために補助光パネルおよびプリズムを筐体から取り外す際にも、補助光パネルの第一の係止用爪の係合を解除するだけで、プリズムも補助光パネルと一緒に取り外すことができる。
【００１７】
以上のため、ＡＦ補助用照明機能部の組み付け作業における作業性を著しく向上して、生産工程全体としての工数を大幅に削減することができ、ひいては製品コストも確実に低減することができる。
【発明を実施するための最良の形態】
【００１８】
以下、本発明の実施の形態を示すストロボ装置について、図面を参照しながら具体的に説明する。
図１は本実施の形態のストロボ装置の概略構成を示す外観斜視図である。本実施の形態におけるストロボ装置は、図１に示すように、照明光の照射方向を可変できるバウンス機能を備え、発光部１００を水平方向（左右方向）および垂直方向（上下方向）に回動できるとともに、オートフォーカス（ＡＦ）補助用照明機能を備え、被写体に対してオートフォーカス補助用の照明光を照射できる構成となっている。
【００１９】
その外観は、前述した図４と同様であり、図１に示すように、発光部１００が連結部２００を介して本体部３００に連結、支持されており、通常、本体部３００のアクセサリーシューを介して、発光部１００の発光窓部が被写体に正対する状態で図示しないカメラ本体に装着され、カメラ本体に対して電気的に接続されるとともに固定され、かかる状態を基本として、発光部１００が連結部２００を中心に本体部３００に対して水平方向（左右方向）および垂直方向（上下方向）に回動自在に支持されている。
【００２０】
また、図１に示すように、ＡＦ補助用照明機能部６００が、ストロボ装置における例えば本体部３００の被写体側に設けられている。
以上のようなストロボ装置において、ＡＦ補助用照明機能部６００について、その詳細を次に説明する。
【００２１】
図２は本実施の形態のストロボ装置におけるＡＦ補助用照明機能部６００の組み付け手順を示す分解斜視図である。
図２に示すように、ＡＦ補助用照明機能部６００は、補助光パネル１、プリズム２、筐体３、補助光用光学系４から成っており、さらに補助光用光学系４は、筐体３に取り付けられる枠体４１と、該枠体４１に嵌められる光源４２とからなり、光源４２はＬＥＤ４３とレンズ４４とからなっている。
【００２２】
補助光パネル１は、上底側が長辺の正面視略台形形状に形成され、その両斜辺には筐体３側に向けて延びる壁部１１が設けられ、各壁部１１の基端位置に、壁部１１の長手方向に沿って長穴１２がそれぞれ２箇所形成され、各壁部１１の先端において、各長穴１２の略中間位置に第一の係止用爪１３が形成されている。
【００２３】
プリズム２は、正面視略矩形状に形成され、その両側面の略中間位置には、補助光パネル１の各長穴１２の一方に係止する第二の係止用爪２１が形成されている。
以上の構成の組み付けは、まず補助光パネル１の長穴１２にプリズム２の第二の係止用爪２１を係止させて、補助光パネル１とプリズム２とを一体化した後、次に、補助光パネル１の第一の係止用爪１３と筐体３の開口３１とを係合させて、補助光パネル１を筐体３に組み付ける。
【００２４】
以上のようなＡＦ補助用照明機能部６００における組み付け手順について、次に説明する。
図３は本実施の形態のストロボ装置におけるＡＦ補助用照明機能部６００に対する図２のＡ−Ａ’矢視による断面図である。
【００２５】
図３に示すように、補助光パネル１にプリズム２を矢印Ｙ１方向に押し付けて組み付ける際には、第二の係止用爪２１の傾斜面２１ａが壁部１１の角部１１ａに当接することにより、補助光パネル１の壁部１１に形成された長穴１２の作用で壁部１１が外側（矢印Ｙ２方向）にたわみ、プリズム２の第二の係止用爪２１が壁部１１の角部１１ａを飛び越えて壁部１１の長穴１２に係合する。
【００２６】
また図３に示すように、筐体３にプリズム２が既に組み付けられた状態の補助光パネル１を矢印Ｙ３方向に押し付けて組み付ける際には、第一の係止用爪１３の傾斜面１３ａが開口３１の角部３１ａに当接することにより、補助光パネル１の壁部１１に形成された長穴１２の作用で壁部１１が内側（矢印Ｙ４方向）にたわみ、補助光パネル１の第一の係止用爪１３が開口３１の角部３１ａを飛び越えて筐体３の開口３１に係合する。
【００２７】
すなわち、補助光パネル１の壁部１１に形成された長穴１２は、壁部１１を内側（矢印Ｙ４方向）および外側（矢印Ｙ２方向）の両側へたわませる作用と、プリズム２の第二の係止用爪２１と係合する作用とを併せ持っている。
【００２８】
以上のように本実施の形態によれば、補助光パネル１とプリズム２の組み付け、および補助光パネル１の筐体３への組み付けを、従来のようにプリズム２をビス固定のような別の固定手段によりわざわざ取り付ける必要がなく、それぞれ該当箇所を手作業などで軽く押し付けるだけで達成することができる。
【００２９】
また、メンテナンスや補修のために補助光パネル１およびプリズム２を筐体３から取り外す際も、補助光パネル１の第一の係止用爪１３の係合を解除するだけで、プリズム２も補助光パネル１と一緒に取り外すことができる。
【００３０】
以上により、ＡＦ補助用照明機能部の組み付け作業における作業性を著しく向上して、生産工程全体としての工数を大幅に削減することができ、ひいては製品コストも確実に低減することができる。
【００３１】
なお、以上において説明したＡＦ補助用照明機能部６００は、上記のようなバウンス機能を有するストロボ装置に限定して適用されるものではなく、例えば本体部３００に発光部１００が一体的に設けられたストロボ装置にも適用できる。
【産業上の利用可能性】
【００３２】
本発明のストロボ装置は、ＡＦ補助用照明機能部の組み付け作業における作業性を著しく向上して、生産工程全体としての工数を大幅に削減することができ、ひいては製品コストも確実に低減することができるもので、被写体に対してオートフォーカス補助用の照明光を照射できる、いわゆるオートフォーカス補助用照明機能を備えたストロボ装置に適用できる。
【図面の簡単な説明】
【００３３】
【図１】本発明の実施の形態のストロボ装置の概略構成を示す外観斜視図
【図２】同実施の形態のストロボ装置におけるＡＦ補助用照明機能部の組み付け手順を示す分解斜視図
【図３】同実施の形態のストロボ装置におけるＡＦ補助用照明機能部に対する図２のＡ−Ａ’矢視による断面図
【図４】従来のストロボ装置の概略構成を示す外観斜視図
【符号の説明】
【００３４】
１    補助光パネル
１１    壁部
１１ａ    （壁部の）角部
１２    長穴
１３    第一の係止用爪
１３ａ    （第一の係止用爪の）傾斜面
２    プリズム
２１    第二の係止用爪
２１ａ    （第二の係止用爪の）傾斜面
３    筐体
３１    開口
３１ａ    （開口の）角部
４    補助光用光学系
４１    枠体
４２    光源
４３    （光源の）ＬＥＤ
４４    （光源の）レンズ
１００    発光部
２００    連結部
３００    本体部
４００    操作部材
５００    アクセサリーシュー
６００    ＡＦ補助用照明機能部
【図１】
2008180916.tif 000003
【図２】
2008180916.tif 000004
【図３】
2008180916.tif 000005
【図４】
2008180916.tif 000006